(57)【要約】マイクロ波エネルギーを生体組織に送達するための電気手術器具であって、器具のマイクロ波放射プロファイルを成形するように、一対の導電性同調素子を放射器具の先端に搭載し、これにより、放射プロファイルが器具の先端の周りに拘束される。係る同調素子は、器具の先端の周りで実質的に球形である放射プロファイルを生じさせ、明確に定義された切除体積を提供し得る。同調素子は、マイクロ波エネルギーを標的組織に送達できる効率を改善するように作用する。
2021531075.tif 000002
【特許請求の範囲】
【請求項１】
電気手術器具であって、
マイクロ波エネルギーを伝えるための同軸給電ケーブルであって、前記同軸給電ケーブルは、内側導体、外側導体、ならびに前記内側導体及び前記外側導体を分離する誘電材料を有する、前記同軸給電ケーブルと、
前記マイクロ波エネルギーを受けるために前記同軸給電ケーブルの遠位端に配置される放射先端であって、前記放射先端は、
前記内側導体に電気的に接続され、縦方向に延在してマイクロ波放射器を形成する、細長導体と、
前記放射先端の近位領域内で前記細長導体に電気的に接続される近位同調素子と、
前記放射先端の遠位領域内で前記細長導体に電気的に接続される遠位同調素子と、
前記細長導体、前記近位同調素子、及び前記遠位同調素子の周りに配置される誘電体と、を備える、前記放射先端と、を備え、
前記近位同調素子及び前記遠位同調素子は前記縦方向に離間し、それによって、前記マイクロ波放射器によって放出されるマイクロ波場は前記誘電体の周りにつくられる、前記電気手術器具。
【請求項２】
前記近位同調素子及び前記遠位同調素子は前記縦方向に対して対称である、請求項１に記載の電気手術器具。
【請求項３】
前記近位同調素子及び前記遠位同調素子は円筒形であり、前記細長導体の縦軸と同一直線上にある中心軸を有する、請求項１に記載の電気手術器具。
【請求項４】
前記近位同調素子は、前記縦方向に前記同軸給電ケーブルの前記遠位端から離間している、いずれかの先行請求項に記載の電気手術器具。
【請求項５】
前記近位同調素子及び前記遠位同調素子は、それぞれ、前記細長導体が延在するチャネルを含む、いずれかの先行請求項に記載の電気手術器具。
【請求項６】
前記遠位同調素子は前記細長導体の遠位端に位置する、いずれかの先行請求項に記載の電気手術器具。
【請求項７】
前記縦方向の前記遠位同調素子の長さは、前記縦方向の近位電極の長さよりも大きい、いずれかの先行請求項に記載の電気手術器具。
【請求項８】
前記細長導体は、前記外側導体の遠位端を越えて延在する前記内側導体の遠位部である、いずれかの先行請求項に記載の電気手術器具。
【請求項９】
前記誘電体は、前記近位同調素子と前記遠位同調素子との間に誘電スペーサを備える、いずれかの先行請求項に記載の電気手術器具。
【請求項１０】
前記誘電体は、前記近位同調素子及び前記遠位同調素子の外面を囲む誘電体シースを備える、いずれかの先行請求項に記載の電気手術器具。
【請求項１１】
前記誘電体シースの外面は、前記同軸給電ケーブルと前記放射先端との間の境界面で前記同軸給電ケーブルの外面と同一平面である、請求項１０に記載の電気手術器具。
【請求項１２】
前記近位同調素子と前記同軸給電ケーブルの前記遠位端との間に搭載される誘電体素子を含む、請求項４に記載の電気手術器具。
【請求項１３】
前記誘電体素子は、前記外側導体の遠位端を越えて突出する前記同軸給電ケーブルの前記誘電材料の遠位部であり得る、請求項１２に記載の電気手術器具。
【請求項１４】
前記放射先端は、さらに、前記細長導体の遠位端に搭載される遠位先端を含み、前記遠位先端は誘電材料から作られている、いずれかの先行請求項に記載の電気手術器具。
【請求項１５】
前記遠位先端は尖っている、請求項１４に記載の電気手術器具。
【請求項１６】
前記同軸給電ケーブルの遠位端に配置される導電性フィールド形成素子をさらに含み、前記フィールド形成素子は前記外側導体に電気的に接続される、いずれかの先行請求項に記載の電気手術器具。
【請求項１７】
前記フィールド形成素子は、前記外側導体の近位部と比較して大きい厚さを有する前記外側導体の遠位部によって形成される、請求項１６に記載の電気手術器具。
【請求項１８】
前記フィールド形成素子は、前記マイクロ波エネルギーの４分の１波長に対応する前記縦方向の長さを有する、請求項１６または１７に記載の電気手術器具。
【請求項１９】
生体組織を治療するための電気手術装置であって、
マイクロ波エネルギーを供給するように構成される電気手術用発電機と、
前記電気手術用発電機から前記マイクロ波エネルギーを受けるために接続される、いずれかの先行請求項に記載の電気手術器具と、
を備える、前記電気手術装置。
【請求項２０】
器具チャネルを有する可撓性挿入コードを含む外科用スコーピングデバイスをさらに備え、前記電気手術器具は前記器具チャネル内に適合するように寸法決定される、請求項１９に記載の電気手術装置。
【発明の詳細な説明】
【技術分野】
【０００１】
本発明は、組織を切除するためにマイクロ波エネルギーを生体組織に送達するための電気手術器具に関する。器具は、内視鏡もしくはカテーテルのチャネルを通して挿入可能であるプローブを含み得る、または腹腔鏡手術もしくは開腹手術で使用され得る。この器具は、肺または胃腸の用途で使用され得るが、それに限定されない。
【背景技術】
【０００２】
電磁（ＥＭ）エネルギー、特にマイクロ波エネルギーは、生体組織を切除する能力があるため、電気手術に有用であることが分かっている。通常、ＥＭエネルギーを体組織に送達するための装置は、エネルギーを組織に送達するために、ＥＭエネルギー源を含む発電機、及び発電機に接続された電気手術器具を含む。
【０００３】
従来の電気手術器具は、多くの場合、患者の体内に経皮的に挿入されるように設計される。しかしながら、例えば、標的部位が動く肺または胃腸（ＧＩ）管の薄肉断面にある場合、器具を体内で経皮的に位置決めすることは困難である可能性がある。他の電気手術器具は、気道または食道もしくは結腸の内腔等の体内の経路を通って伸びることできる外科用スコーピングデバイス（例えば、内視鏡）によって標的部位に送達できる。これにより、低侵襲治療が可能になり、患者の死亡率を減らし、手術中及び手術後の合併症率を減らすことができる。
【０００４】
マイクロ波ＥＭエネルギーを使用する組織切除は、生体組織が主に水で構成されるという事実に基づいている。人間の軟臓器組織は、通常、７０％〜８０％の水分含量である。水分子は永久電気双極子モーメントを有し、分子全体にわたって電荷不均衡が存在することを意味する。この電荷不均衡により、分子が回転して、その電気双極子モーメントを印加電界の極性に合わせるときに、時間的に変化する電界を印加することによって生成する力に応答して分子が移動する。マイクロ波周波数において、急速な分子振動が摩擦加熱を生じさせ、結果的に、熱の形態で電界エネルギーを散逸させる。これは誘電加熱として知られている。
【０００５】
この原理は、マイクロ波アブレーション療法で利用され、マイクロ波周波数で局所的な電磁場を適用することにより、標的組織の水分子が急速に加熱され、組織凝固及び細胞死が生じる。肺及びその他の臓器における様々な疾患を治療するために、マイクロ波放出プローブを使用することが知られている。例えば、肺では、喘息を治療し、腫瘍または病変を切除するためにマイクロ波放射を使用できる。
【発明の概要】
【課題を解決するための手段】
【０００６】
最も一般的には、本発明は、マイクロ波エネルギーを生体組織に送達するための電気手術器具を提供し、一対の導電性同調素子を使用して、器具のマイクロ波放射プロファイルを成形し、これにより、放射プロファイル（「アブレーションプロファイル」とも称される）は器具の先端の周りに拘束される。複数の本発明者は、係る同調素子を使用すると、器具の先端の周りで実質的に球形である放射プロファイルを生じさせ得、明確に定義された切除量を提供することを発見している。また、複数の本発明者は、同調素子が、マイクロ波エネルギーを標的組織に送達できる効率を改善するように作用し得ることを発見している。
【０００７】
本発明の第１の態様に従って、電気手術器具が提供され、電気手術器具は、マイクロ波エネルギーを伝えるための同軸給電ケーブルであって、同軸給電ケーブルは、内側導体、外側導体、ならびに内側導体及び外側導体を分離する誘電材料を有する、同軸給電ケーブルと、マイクロ波エネルギーを受けるために同軸給電ケーブルの遠位端に配置される放射先端であって、放射先端は、内側導体に電気的に接続され、縦方向に延在してマイクロ波放射器を形成する、細長導体と、放射先端の近位領域内で細長導体に電気的に接続される近位同調素子と、放射先端の遠位領域内で細長導体に電気的に接続される遠位同調素子と、細長導体、近位同調素子、及び遠位同調素子の周りに配置される誘電体と、を備える、放射先端と、を備え、近位同調素子及び遠位同調素子は縦方向に離間し、それによって、マイクロ波放射器によって放出されるマイクロ波場は誘電体の周りにつくられる。
【０００８】
器具は、体内の標的組織を切除するように動作し得る。本デバイスは、特に、肺の組織の切除に適しているが、他の臓器（例えば、子宮または消化管）の組織を切除するために使用してもよい。標的組織を効率的に切除するために、放射先端は標的組織に可能な限り近くに（多くの場合、標的組織の内側）に位置すべきである。標的組織（例えば、肺内）に到達するために、本デバイスは通路（例えば、気道）を通って及び障害物の周りに誘導される必要があり得る。これは、器具が、可能な限り柔軟であり、小さい断面積を有するのが理想的であることを意味する。特に、本デバイスはその先端の近くでかなり柔軟である必要があり、狭く曲がりくねった可能性がある細気管支等の狭い通路に沿って本デバイスを操縦する必要があり得る。
【０００９】
同軸給電ケーブルは、一端において電気手術用発電機に接続可能である従来の低損失同軸ケーブルであり得る。特に、内側導体は、同軸給電ケーブルの縦軸に沿って延在する細長導体であり得る。誘電材料は、内側導体の周りに配置され得、例えば、第１の誘電材料は、内側導体が延在するチャネルを有し得る。外部導体は、誘電材料の表面に配置される導体材料から作られたスリーブであり得る。同軸給電ケーブルは、さらに、ケーブルを絶縁及び保護するための外部保護シースを含み得る。いくつかの実施例では、保護シースは、組織がケーブルに付着するのを防ぐために、非粘着性材料から作られ得る、またはそれでコーティングされ得る。放射先端は同軸給電ケーブルの遠位端に位置し、同軸給電ケーブルに沿って伝えられるＥＭエネルギーを標的組織に送達するのに役立つ。放射先端は同軸給電ケーブルに永久的に取り付けられ得る、または放射先端は同軸給電ケーブルに取り外し可能に取り付けられ得る。例えば、コネクタは、放射先端を受け、必要な電気的接続を形成するように構成される同軸給電ケーブルの遠位端に提供され得る。
【００１０】
放射先端は概して円筒形であり得る。誘電体は、同軸給電ケーブルの遠位端に取り付けられ得る。いくつかの実施例では、誘電体は、同軸給電ケーブルの遠位端を越えて延在する同軸給電ケーブルの誘電体の突出部を含み得る。これは、放射先端の構造を簡素化し、放射先端と同軸給電ケーブルとの間の境界においてＥＭエネルギーの反射を回避し得る。他の実施例では、同軸給電ケーブルの誘電材料と異なる第２の誘電材料を使用して、誘電体を形成し得る。マイクロ波エネルギーを標的組織に送達する効率を改善するために、第２の誘電材料を選択して、標的組織とのインピーダンス整合を改善し得る。放射先端は、また、所望の様式で放射プロファイルを成形するように選択及び構成される複数の異なる誘電材料の部分を含み得る。
【００１１】
細長導体は、同軸給電ケーブルの内側導体に電気的に接続され、細長導体がマイクロ波放射器として機能するように誘電体内に延在する。言い換えれば、同軸給電ケーブルから放射先端に伝えられるマイクロ波エネルギーは、細長導体から放射され得る。外側導体は、細長導体が外側導体の遠位端を越えて延在するように同軸給電ケーブルの遠位端で終端し得る。このように、放射先端はマイクロ波モノポールアンテナとして機能し得る。したがって、放射先端に伝えられるマイクロ波エネルギーは、細長導体から周囲標的組織に放射され得る。細長導体は、例えば、誘電体のチャネル内に延在し得る。細長導体は、細長い形状を有する任意の適切な導体であり得る。例えば、細長導体は、誘電体内に延在する導体材料のワイヤ、ロッド、またはストリップであり得る。
【００１２】
近位同調素子は、放射先端の近位端の近くに位置する導体材料（例えば、金属）の一部であり得る。遠位同調素子は、放射先端の遠位端の近くに位置する導体材料（例えば、金属）の一部であり得る。したがって、遠位同調素子は、近位同調素子よりも同軸給電ケーブルの遠位端からさらに離れ得る。近位同調素子及び遠位同調素子の両方は、細長導体に電気的に接続される。例えば、近位同調素子及び遠位同調素子は、それぞれ、細長導体の上にまたは周りに配置され得る。近位同調素子及び遠位同調素子は、任意の適切な手段によって細長導体に電気的に接続され得る。例えば、近位同調素子及び遠位同調素子は、細長導体に溶接またははんだ付けされ得る。別の実施例では、近位同調素子及び遠位同調素子は、導電接着剤（例えば、導電性エポキシ）を使用して細長導体に接続され得る。代替として、近位同調素子及び遠位同調素子の一方または両方は、細長導体と一体的に形成され得る（例えば、それらは、単一の部品として一緒に製造され得る）。近位同調素子及び遠位同調素子は、細長導体の長さだけ縦方向に離間する。言い換えれば、細長導体の区分は、近位電極と遠位電極との間に配置される。近位同調素子及び遠位同調素子は、誘電体の一部によって覆われ得、これにより、それらは環境から隔離／保護される。
【００１３】
複数の本発明者は、上記に説明したような構成を有する放射先端が、放射先端と周囲標的組織との間のインピーダンス不整合を減らし得ることを発見している。これは、放射先端で同軸給電ケーブルの後方に反射されるマイクロ波エネルギーの量を減らし得る（これは、放射先端と標的組織との間のインピーダンス不整合により発生する）。結果として、マイクロ波エネルギーを標的組織に送達できる効率を改善し得る。これは、標的組織を切除するために同軸給電ケーブルの下に伝えられる必要のあるエネルギー量を減らすことが可能であり得る。次に、これは、同軸給電ケーブルに沿ったマイクロ波エネルギーの伝達による加熱効果を減らし得、それにより、電気手術器具はより長期間使用され得る。
【００１４】
また、複数の本発明者は、近位同調素子及び遠位同調素子が、放射先端のより望ましい放射プロファイルを生じさせ得ることを発見している。特に、同調素子は、それが放射先端の周りに集中するように放射プロファイルを成形し、同軸給電ケーブルに沿って後方に延在する放射プロファイルのテールを減らし得る。このように、放射先端に伝えられるマイクロ波エネルギーは、放射先端から放出され、放射先端の周りの明確な体積の周囲標的組織を切除し得る。切除体積（すなわち、放射されたマイクロ波エネルギーによって切除される組織の体積）は、ほぼ球形であり得る。同調素子の形状、サイズ、及び場所は、所望のマイクロ波放射プロファイルを得るために選択され得る。
【００１５】
近位同調素子及び遠位同調素子は、縦方向に対して対称に配置され得る。例えば、近位同調素子及び遠位同調素子は円筒形であり得、例えば、細長導体の縦軸と同一直線上にある中心軸を有する。細長導体の縦軸は、細長導体の長さに沿った軸である。例えば、近位同調素子は、細長導体の周りに配置され、細長導体と同軸にある、導体材料の円筒部であり得る。これは、放射先端の放射プロファイルの軸対称性を改善し得る。
【００１６】
いくつかの実施形態では、近位同調素子は、縦方向に同軸給電ケーブルの遠位端から離間され得る。例えば、誘電体は、同軸給電ケーブルの遠位端と近位同調素子との間に位置付けられるスペーサを含み得る。複数の本発明者は、同軸給電ケーブルの遠位端から近位同調素子を離間させると、器具に位相シフトを導入し得ることを発見している。位相シフトは、放射先端と標的組織との間のインピーダンス整合を改善し得、これにより、標的組織へのマイクロ波エネルギーの効率を改善し得る。位相シフトは、同軸給電ケーブルの遠位端と近位同調素子の近位端との間の距離によって決まり得る。
【００１７】
いくつかの実施形態では、近位同調素子は、細長導体を受けるためのチャネルを含み得る。チャネルは、細長導体に対して近位同調素子を位置付け、近位同調素子と細長導体との間の接続を改善するのに役立ち得る。チャネルは、また、近位同調素子を細長導体に固定する前に、近位同調素子を細長導体上の所望の位置に位置付けられ得るので、放射先端の組み立てを容易にし得る。チャネルは、近位同調素子を通過する閉鎖チャネル（例えば、トンネル）であり得る。このように、近位同調素子は、細長導体の周りに配置され得る。これは、放射先端の放射プロファイルの軸対称性を改善し得る。例えば、近位同調素子が円筒形を有する場合、チャネルは円筒の中心軸に沿って延在し得る。代替として、チャネルは開放チャネルであり得、例えば、チャネルは近位同調素子の表面に沿って延在する溝であり得る。近位同調素子は、近位同調素子のチャネル内の細長導体に電気的に接続され得る。例えば、チャネルの壁は、細長導体の外面と直接接触し得る。加えてまたは代替として、近位同調素子は、（例えば、導電接着剤、はんだ接合または溶接接合を使用して）チャネル内の細長導体に固定され得る。
【００１８】
同様に、遠位同調素子は、細長導体を受けるためのチャネルを含み得る。遠位同調素子のチャネルは、近位同調素子のチャネルに関連して上記に説明した特性のいずれかを有し得る。特に、チャネルは開放または閉鎖され得、遠位同調素子は、遠位同調素子のチャネル内の細長導体に電気的に接続及び／または固定され得る。
【００１９】
いくつかの実施形態では、遠位同調素子は、細長導体の遠位端に位置し得る。したがって、遠位同調素子は、同軸給電ケーブルから最も遠い細長導体の端に位置し得る。これは、放射先端の遠位端の周りに放射プロファイルを集中させるのに役立ち得る。これは、より球形の放射パターンを生じさせ得る。例えば、細長導体は、遠位同調素子において／遠位同調素子の近くで終端し得る。いくつかの実施例では、細長導体は、遠位同調素子の遠位端を越えて突出し得ない。遠位同調素子がチャネルを含む場合、細長導体はチャネルの内側または遠位端で終端し得、それにより、細長導体はチャネルの遠位端から突出しない。いくつかの場合、チャネルが遠位同調素子の全長に沿って延在し得なく、それにより、細長導体は遠位同調素子内で終端する。このように、遠位同調素子は、細長導体の遠位端にキャップを形成し得る。
【００２０】
いくつかの実施形態では、縦方向の遠位同調素子の長さは、縦方向の近位電極の長さよりも大きくなり得る。縦方向は、細長導体が延在する方向に一致する。これは、放射先端の遠位端の周りに放射線を集中させるのに役立ち得、それにより、より球形の放射パターンを生じさせ得る。例えば、遠位同調素子は、縦方向の近位同調素子の２倍の長さであり得る。
【００２１】
いくつかの実施形態では、細長導体は、同軸給電ケーブルの遠位端を越えて延在する内側導体の遠位部であり得る。言い換えれば、内側導体は、同軸給電ケーブルの遠位端を越えて誘電体に延在し、細長導体を形成し得る。これは、別の導体を内側導体の遠位端に接続する必要性をなくすので、同軸給電ケーブルの遠位端において放射先端を形成することを容易にし得る。
【００２２】
いくつかの実施形態では、誘電体は、近位同調素子と遠位同調素子との間に誘電スペーサを含み得る。誘電体スペーサは、近位同調素子と遠位同調素子の間に位置する細長導体の一部が延在するチャネルを含み得る。誘電体スペーサは、近位同調素子と接触する近位面と、遠位同調素子と接触する遠位面とを含み得る。
【００２３】
いくつかの実施形態では、誘電体は、さらに、近位同調素子及び遠位同調素子の外面を囲む誘電体シースを備える。誘電体シースは、放射先端を環境から保護するための外側保護層を提供し得る。例えば、誘電体シースは非粘着性材料（例えば、ＰＴＦＥ）から作られ得、またはそれでコーティングされ得、これにより、組織は誘電体に付着しない。誘電体シースの外面は、同軸給電ケーブルと放射先端との間の境界面で同軸給電ケーブルの外面と同一平面であり得る。
【００２４】
上述のように、近位同調素子は、同軸給電ケーブルの遠位端から離間され得る。誘電体素子は、近位同調素子と同軸給電ケーブルの遠位端との間に配置され得る。誘電体素子は、外部導体の遠位端を越えて突出する同軸給電ケーブルの誘電材料の遠位部であり得る。これは、同軸給電ケーブルと放射先端と間の円滑で安全な物理的及び電気的な接続を確保するのを補助できる。しかしながら、必須である必要はない。誘電体素子は、例えば、同軸給電ケーブルの誘電材料と異なる材料から作られた別の要素であり得る。
【００２５】
いくつかの実施形態では、放射先端は、さらに、細長導体の遠位端に搭載される遠位先端を含み得、遠位先端は誘電材料から作られる。遠位先端は誘電体と同じ誘電材料から作られ得る。代替として、遠位先端は、誘電体の残りの部分と異なる誘電材料から作られ得る。遠位先端の誘電材料は、放射先端と標的組織との間のインピーダンス整合を改善するように選択され得る。遠位先端は、生体組織への放射先端の挿入を容易にするように尖り得る。他の場合、遠位先端は丸くなり得る。遠位先端は、組織がそれに付着するのを防ぐために、遠位先端の外面に非粘着性材料（例えば、ＰＴＦＥ）を含み得る。
【００２６】
いくつかの実施形態では、電気手術器具は、さらに、同軸給電ケーブルの遠位端に配置される導電性フィールド形成素子を含み得、フィールド形成素子は外部導体に電気的に接続される。フィールド形成素子は、同軸給電ケーブルを下るマイクロ波エネルギーの逆伝播を減らすのに役立ち得る。これは、同軸給電ケーブルの一部に沿って延在する放射プロファイルのテールを減らし得る。結果として、放射プロファイルは放射先端の周りに集中し得る。複数の本発明者は、放射プロファイルのテールが、より大きな直径を有する電気手術器具でより顕著になり得ることを発見している。したがって、フィールド形成素子は、特に、より大きな外径（例えば、２．０ｍｍよりも大きい外径）を有する電気手術器具に有用であり得る。
【００２７】
フィールド形成素子は、任意の適切な導体材料で作られ得る。フィールド形成素子は、外部導体の表面（例えば、外部導体の外面または内面）に配置され得る。フィールド形成素子は、任意の適切な手段によって（例えば、導電性エポキシによって、またははんだ付けもしくは溶接接続によって）外部導体に電気的に接続され得る。いくつかの場合、フィールド形成素子は、同軸給電ケーブルの遠位部と一体的に形成され得る。
【００２８】
フィールド形成素子は、外部導体の遠位部の外部導体の有効厚さを増加させるのに役立ち得る。いくつかの場合、フィールド形成素子は、縦方向に対して対称的に構成され得る。これは、軸対称の放射プロファイルを提供するのに役立ち得る。例えば、フィールド形成素子は、外部導体の外面の周りに配置される導体材料の環状スリーブであり得る。
【００２９】
いくつかの実施形態では、フィールド形成素子は、外部導体の近位部と比較して大きい厚さを有する外部導体の遠位部によって形成され得る。言い換えれば、外部導体の厚さは、近位部よりも遠位部が大きくなり得る。
【００３０】
いくつかの実施形態では、フィールド形成素子は、マイクロ波エネルギーの４分の１波長に一致する縦方向の長さを有し得る。言い換えれば、フィールド形成素子は、同軸給電ケーブルによって伝えられるマイクロ波エネルギーの４分の１波長に相当する長さを有する外部導体の遠位部に沿って延在し得る。これは、同軸給電ケーブルを下るマイクロ波エネルギーの逆伝播を最小にし、放射先端によるエネルギー送達の効率を改善させるのに役立ち得る。
【００３１】
上記に説明した電気手術器具は、生体組織を治療するための完全な電気手術装置の部分を形成し得る。例えば、本装置は、マイクロ波エネルギーを供給するように構成される電気手術用発電機を含み得る。そして、本発明の電気手術器具は、電気手術用発電機からマイクロ波エネルギーを受けるために接続され得る。電気手術装置は、さらに、患者の体内に挿入するための可撓性挿入コードを有する外科用スコーピングデバイス（例えば、内視鏡）を含み得、可撓性挿入コードは、その長さに沿って伸びる器具チャネルを有し、電気手術器具は器具チャネル内で適合するように寸法決定される。
【００３２】
本明細書では、「マイクロ波」は、４００ＭＨｚ〜１００ＧＨｚの周波数範囲を示すために広範囲に使用され得るが、１ＧＨｚ〜６０ＧＨｚの範囲が好ましい。マイクロ波ＥＭエネルギーの好ましいスポット周波数は、９１５ＭＨｚ、２．４５ＧＨｚ、３．３ＧＨｚ、５．８ＧＨｚ、１０ＧＨｚ、１４．５ＧＨｚ、及び２４ＧＨｚを含む。５．８ＧＨｚが好まれ得る。
【００３３】
本明細書では、用語「近位」及び「遠位」は、各々、治療部位からより遠くにある電気手術器具の端、治療部位のより近くにある電気手術器具の端を指す。したがって、使用中、電気手術器具の近位端は、ＲＦ及び／またはマイクロ波エネルギーを提供するために発電機のより近くにある一方、遠位端は患者の治療部位（すなわち、標的組織）のより近くにある。
【００３４】
本明細書では、用語「導電性」は、文脈上で別段の指示がない限り、導電性を意味するために使用される。
【００３５】
下記に使用される用語「縦」は、同軸伝達線の軸に平行な電気手術器具の長さに沿った方向を指す。用語「内側」は、器具の中心（例えば軸）に対して半径方向により近いことを意味する。用語「外側」は、器具の中心（軸）から半径方向にさらに遠いことを意味する。
【００３６】
用語「電気手術」は、手術中に使用され、マイクロ波及び／または高周波電磁（ＥＭ）エネルギーを利用する器具、装置、またはツールに関連して使用される。
【００３７】
添付の図面を参照して、本開示の実施例を下記に説明する。
【図面の簡単な説明】
【００３８】
【図１】本発明の実施形態である組織切除のための電気手術システムの概略図である。
【図２】本発明の実施形態である電気手術器具の概略的な断面側面図である。
【図３】本発明の実施形態である電気手術器具の放射プロファイルのシミュレーションを示す図である。
【図４】本発明の実施形態である電気手術器具の反射減衰量のシミュレーションのグラフである。
【図５】本発明の実施形態である電気手術器具に関して計算された様々なパラメータがチャート上にプロットされているスミスチャートを示す。
【図６】比較例である電気手術器具の概略断面側面図である。
【図７】別の比較例である電気手術器具の概略断面側面図である。
【図８】図６の電気手術器具に関する放射プロファイルのシミュレーションを示す図である。
【図９】図６の電気手術器具に関する反射減衰量のシミュレーションのグラフである。
【図１０】図６の電気手術器具に関して計算された様々なパラメータがチャート上にプロットされているスミスチャートを示す。
【図１１】図７の電気手術器具に関する放射プロファイルのシミュレーションを示す図である。
【図１２】図７の電気手術器具に関する反射減衰量のシミュレーションのグラフである。
【図１３】図７の電気手術器具に関して計算されたスミスチャートを示す。
【図１４】本発明の実施形態である電気手術器具に関する放射プロファイルのシミュレーションを示す図である。
【図１５】本発明の実施形態である電気手術器具の概略断面側面図である。
【図１６】図１５の電気手術器具に関する放射プロファイルのシミュレーションを示す図である。
【発明を実施するための形態】
【００３９】
図１は、侵襲性電気手術器具の遠位端にマイクロ波エネルギーを供給することが可能である完全な電気手術システム１００の概略図である。システム１００は、マイクロ波エネルギーを制御可能に供給するための発電機１０２を備える。この目的のために適切な発電機は、参照により本明細書に組み込まれるＷＯ２０１２／０７６８４４に記載されている。発電機は、送達のために適切な電力レベルを決定するために、器具から戻されるように受信された反射信号を監視するように構成され得る。例えば、発電機は、最適な送達電力レベルを決定するために、器具の遠位端で見られるインピーダンスを計算するように構成され得る。発電機は、患者の呼吸周期に一致するように変調される一連のパルスで電力を送達するように構成され得る。これは、肺が収縮するときに電力送達を可能にする。
【００４０】
発電機１０２は、境界面ケーブル１０４によって境界面ジョイント１０６に接続される。必要に応じて、境界面ジョイント１０６は、例えば、１つ以上の制御線またはプッシュロッド（図示せず）の縦方向（前後）の移動を制御するために、トリガ１１０を摺動させることによって動作可能な器具制御機構を収容できる。複数の制御線がある場合、完全な制御を提供するために、境界面ジョイントに複数の摺動トリガがあり得る。境界面ジョイント１０６の機能は、発電機１０２及び器具制御機構からの入力を、境界面ジョイント１０６の遠位端から延在する単一の可撓シャフト１１２に結合することである。他の実施形態では、他の種類の入力も境界面ジョイント１０６に接続され得る。例えば、いくつかの実施形態では、流体供給は境界面ジョイント１０６に接続され得、これにより、流体が器具に送達され得る。
【００４１】
可撓シャフト１１２は、内視鏡１１４の器具（ワーキング）チャネルの全長を通して挿入可能である。
【００４２】
可撓シャフト１１２は、内視鏡１１４の器具チャネルを通過し、内視鏡の管の遠位端において（例えば、患者の体内に）突出するように成形される遠位アセンブリ１１８（図１では縮尺通りに描かれていない）を有する。遠位端アセンブリは、マイクロ波エネルギーを生体組織に送達するためのアクティブな先端を含む。先端の構成は下記により詳細に説明される。
【００４３】
遠位アセンブリ１１８の構造は、ワーキングチャネルを通過するのに適する最大外径を有するように構成され得る。通常、内視鏡等の外科用スコーピングデバイス内のワーキングチャネルの直径は４．０ｍｍ未満であり、例えば、２．０ｍｍ、２．８ｍｍ、３．２ｍｍ、３．７ｍｍ、３．８ｍｍのいずれか１つである。可撓シャフト１１２の長さは、０．３ｍ以上（例えば、２ｍ以上）であり得る。他の実施例では、遠位アセンブリ１１８は、シャフトがワーキングチャネルを通して挿入された後（及び器具コードが患者の体内に導入される前に）、可撓シャフト１１２の遠位端に搭載され得る。代替として、可撓シャフト１１２は、その近位接続を行う前に、遠位端からワーキングチャネルに挿入できる。これらの構成では、遠位端アセンブリ１１８は、外科用スコーピングデバイス１１４のワーキングチャネルよりも大きい寸法を有することが可能であり得る。
【００４４】
上記に説明したシステムは、器具を患者の体内に導入する１つの方法である。他の技術が可能である。例えば、器具は、また、カテーテルを使用して挿入され得る。
【００４５】
図２は、本発明の実施形態である電気手術器具２００の断面側面図を示す。電気手術器具の遠位端は、例えば、上記に説明した遠位アセンブリ１１８に対応し得る。電気手術器具２００は、マイクロ波エネルギーを伝えるために、その近位端で発電機（発電機１０２等）に接続可能である同軸給電ケーブル２０２を含む。同軸給電ケーブル２０２は、可撓シャフト１１２を通過する上記に説明した境界面ケーブル１０４であり得る。同軸給電ケーブル２０２は、誘電材料２０８によって分離される内側導体２０４及び外側導体２０６を含む。同軸給電ケーブル２０２は、マイクロ波エネルギーに対して低損失であるのが好ましい。チョーク（図示せず）を同軸給電ケーブル２０４に提供され、遠位端から反射されたマイクロ波エネルギーの逆伝播を抑制し、ひいては、本デバイスに沿った逆行する加熱を制限し得る。同軸給電ケーブル２０２は、さらに、同軸給電ケーブル２０４を保護するために、外部導体２０６の周りに配置される可撓性外部シース２１０を含む。外側シース２１０は、外側導体２０６をその周囲から電気的に絶縁するための絶縁材料で作られ得る。外側シース２１０は、組織が器具に付着するのを防ぐために、ＰＴＦＥ等の非粘着性材料から作られ得る、またはそれでコーティングされ得る。
【００４６】
放射先端２１２は、同軸給電ケーブル２０２の遠位端２１４に形成される。図２の破線２１５は、同軸給電ケーブル２０２と放射先端２１２との間の境界面を示す。放射先端２１２は、同軸給電ケーブル２０２によって伝えられるマイクロ波エネルギーを受け、そのエネルギーを生体組織に送達するように構成される。同軸給電ケーブル２０２の外部導体２０６は同軸給電ケーブル２０２の遠位端２１４で終端し、すなわち、外部導体２０６は放射先端２１２内に延在しない。放射先端２１２は、同軸給電ケーブル２０２の遠位端を越えて延在する内側導体２０４の遠位部２１６を含む。特に、内側導体２０４の遠位部２１６は、外側導体２０６の遠位端を越えて延在する。
【００４７】
導体材料（例えば、金属）から作られた近位同調素子２１８は、放射先端２１２の近位端の近くで、内側導体２０４の遠位部２１６に電気的に接続される。近位同調素子２１８は円筒形を有し、内側導体２０４の遠位部２１６が通過するチャネル２２０を含む。チャネル２２０の直径は、内側導体２０４がチャネル２２０の内側の近位同調素子２１８と接触するように、内側導体２０４の外径と実質的に同じである。さらに、近位同調素子２１８は、例えば、導電接着剤（例えば、導電性エポキシ）を使用して、またははんだ付けもしくは溶接によって、内側導体２０４に固定され得る。近位同調素子２１８は、内側導体２０４の中心にある。言い換えれば、円筒形近位同調素子２１８の中心軸は、内側導体２０４の縦軸と同一直線上にある。このように、近位同調素子２１８は、内側導体２０４の縦軸に関して対称である様式で、内側導体２０４の遠位部２１６の周りに配置される。
【００４８】
導体材料（例えば、金属）から作られた遠位同調素子２２２は、放射先端２１２の遠位端近くの内側導体２０４の遠位部２１６に電気的に接続される。したがって、遠位同調素子２２２は、近位同調素子２１８よりもさらに内側導体２０４に沿って位置する。遠位同調素子２２２は、内側導体２０４の遠位部２１６の長さだけ、近位同調素子から離間する。近位同調素子２１８と同様に、遠位同調素子は円筒形を有し、チャネル２２４を含む。図２で分かり得るように、内側導体２０４の遠位部２１６はチャネル２２４内に延在する。内側導体２０４の遠位部２１６はチャネル２２４の遠位端で終端し、すなわち、それは遠位同調素子２２２を越えて突出しない。このように、内側導体２０４の遠位端は、遠位同調素子２２２の遠位面と同一平面である。チャネル２２４の直径は、内側導体２０４の外径と実質的に同じであり、それにより、内側導体２０４は、チャネル２２４の内側の遠位同調素子２２２と接触する。さらに、遠位同調素子２２２は、例えば、導電接着剤（例えば、導電性エポキシ）を使用して、またははんだ付けもしくは溶接によって、内側導体２０４に固定され得る。近位同調素子２１８と同様に、遠位同調素子２２２は、それが内側導体２０４の中心になるように搭載される。
【００４９】
近位同調素子２１８及び遠位同調素子２２２の両方は、同じ外径を有する。近位同調素子２１８及び遠位同調素子２２２の外径は、電気手術器具２００の外径よりもわずかに小さくなり得る。示される実施例では、遠位同調素子２２２は、器具の縦方向において近位同調素子２１８よりも長い。言い換えれば、遠位同調素子２２２のチャネル２２４の内側導体２０４の長さは、近位同調素子２１８のチャネル２２０の内側導体２０４の長さよりも大きい。例えば、遠位同調素子２２２は、近位同調素子２１８の約２倍の長さであり得る。遠位同調素子２２２を近位同調素子２１８よりも長くすることによって、放射先端２１２の遠位端の周りにマイクロ波の放出を集中させることが可能である。
【００５０】
誘電材料２０８の遠位部２２６は、同軸給電ケーブル２０２の遠位端２１４を越えて、放射先端２１２内に延在する。誘電材料２０８の遠位部２２６は、近位同調素子２１８と同軸給電ケーブル２０２の遠位端２１４との間のスペーサとして機能する。いくつかの実施形態（図示せず）では、誘電材料２０８は、同軸給電ケーブル２０２の遠位端２１４で終端し得、別のスペーサが、同軸給電ケーブル２０２の遠位端２１４と近位同調素子２１８との間に提供され得る。誘電体スペーサ２２８は、近位同調素子２１８と遠位同調素子２２２との間で、放射先端２１２内に提供される。誘電体スペーサ２２８は誘電材料の円筒部であり、それを通って延在する中央チャネルを有する。したがって、誘電体スペーサ２２８は誘電材料の管であり得る。内側導体２０４の遠位部２１４は、誘電体スペーサ２２８内のチャネルを通って延在する。誘電体スペーサ２２８の近位面は近位同調素子２１８と接触し、誘電体スペーサ２２８の遠位面は遠位同調素子２２２と接触する。誘電体スペーサ２２８は、近位同調素子２１８及び遠位同調素子２２２とほぼ同じ外径を有する。
【００５１】
保護シース２３０は放射先端２１２の外側に提供される。保護シース２３０は、誘電体スペーサ２２８と、近位同調素子２１８及び遠位同調素子２２２とを覆い、放射先端２１２の外面を形成する。保護シース２３０は絶縁材料から作られた管であり得る。保護シース２３０は、放射先端２１２を絶縁し、それを環境から保護するのに役立ち得る。保護シース２３０は、組織がそれに付着するのを防ぐために、非粘着性材料（例えば、ＰＴＦＥ）から作られ得る、またはそれでコーティングされ得る。保護シース２３０の外径は、同軸給電ケーブル２０２の外径と実質的に同じであり、これにより、器具は滑らかな外面を有し、すなわち、放射先端２１２は、境界面２１５の同軸給電ケーブル２０２の外面と同一平面である外面を有する。いくつかの実施形態（図示せず）では、保護シース２３０は、同軸給電ケーブル２０２の外側シース２１０の延長であり得る。それと同時に、誘電材料２０８の遠位部２２６、誘電体スペーサ２２８、及び保護シース２３０は、放射先端２１２の誘電体を形成する。
【００５２】
放射先端２１２は、さらに、その遠位端に位置する遠位先端２３２を含む。遠位先端２３２は、標的組織への放射先端２１２の挿入を容易にするように尖り得る。しかしながら、他の実施形態（図示せず）では、遠位先端は丸いまたは平坦であり得る。遠位先端２３２は、例えば誘電材料２０８と同じ誘電材料で作られ得る。いくつかの実施形態では、遠位先端２３２の材料は、ＥＭエネルギーを標的組織に送達する効率を改善するために、標的組織とのインピーダンス整合を改善するように選択され得る。遠位先端２３２は、組織がそれに付着するのを防ぐために、非粘着性材料（例えば、ＰＴＦＥ）から作られ得る、またはそれで覆われ得る。
【００５３】
以下は、電気手術器具２００の寸法の実施例である。
−境界面２１５から内側導体２０４の遠位部２１６の遠位端までの距離：５．７５ｍｍ、
−近位同調素子２１８及び遠位同調素子２２２の外径：１．５ｍｍ、
−近位同調素子２１８の長さ：０．５ｍｍ、
−遠位同調素子２２２の長さ：１．０ｍｍ、
−近位同調素子２１８と遠位同調素子２２２との間の間隔：３．７５ｍｍ、
−近位同調素子２１８と境界面２１５との間の間隔：０．５ｍｍ、及び
−電気手術器具２００の外径：１．８５ｍｍ。
【００５４】
マイクロ波エネルギーが放射先端２１２に伝えられるとき、放射先端２１２はマイクロ波モノポールアンテナとして機能し得る。特に、マイクロ波エネルギーは、内側導体２０２の遠位部２１６から放射され得、これにより、マイクロ波エネルギーは、周囲の生体組織に送達できる。近位同調素子２１８及び遠位同調素子２２２は、放射先端２１２の放射プロファイルを成形するように作用し、下記に説明されるように、器具と周囲標的組織との間のインピーダンス整合を改善する。
【００５５】
図３は、図２に示される電気手術器具２００の標的組織のマイクロ波放射プロファイルのシミュレーションを示す。放射プロファイルは、有限要素分析ソフトウェアを使用して、５．８ＧＨｚのマイクロ波周波数についてシミュレートされたものである。放射プロファイルは、マイクロ波エネルギーによって切除された組織の結果として生じる形状を示す。図３で分かり得るように、放射プロファイルは放射先端の周りに集中し、ほぼ球形領域を画定する。このように、組織は、放射先端の周りのほぼ球形領域内で切除され得る。放射先端と同軸給電ケーブルとの間の境界面２１５は、器具の先端に対するフィールドの場所及び形状の視覚化を支援するために示される。
【００５６】
図４は、電気手術器具２００のマイクロ波エネルギーの周波数に対するＳパラメータ（入力反射係数Ｓ１１または「反射減衰量」としても知られている）のシミュレーションのグラフを示す。技術分野でよく知られているように、Ｓパラメータはインピーダンス不整合によるマイクロ波エネルギーの反射減衰量の評価基準であり、したがって、Ｓパラメータは標的組織と放射先端との間のインピーダンス不整合の程度を示す。Ｓパラメータは方程式ＰＩ＝ＳＰＲによって定義でき、ＰＩが組織に向かう器具の送信電力であり、ＰＲは組織から反射される電力であり、ＳはＳパラメータである。図４に示すように、Ｓパラメータは５．８ＧＨｚにおいて−２５．５８ｄＢの値を有し、非常に小さいマイクロ波エネルギーがこの周波数で組織から反射されることを意味する。これは、５．８ＧＨｚの動作周波数におけるインピーダンス整合が良好であり、マイクロ波エネルギーがこの周波数で放射先端から組織に効率的に送達されることを示す。
【００５７】
図５は、電気手術器具２００のインピーダンススミスチャートのシミュレーションを示す。スミスチャートは、同軸給電ケーブルの遠位端と放射先端との間の境界面２１５に位置する基準面についてシミュレートされたものである。技術分野でよく知られているように、スミスチャートは、複素平面のＳパラメータ（反射係数）のグラフ表示である。Ｓパラメータは次の方程式によって定義され得る。
【００５８】
【数１】
2021531075.tif 000003
【００５９】
ここで、Ｚ＝Ｚ／Ｚ０、Ｚは標的組織と接触する放射先端のインピーダンスであり、Ｚ０は正規化係数である。この場合、５０オームの正規化係数を使用した。これは、同軸給電ケーブル、境界面ケーブル（例えば、境界面ケーブル１０４）、及び電気手術用発電機（例えば、発電機１０２）の通常の特性インピーダンスであるためである。図５では、マーカー（ラベル「１」）は、５．８ＧＨｚにおけるＳパラメータの値を示す。これから分かり得るように、Ｓパラメータの値はユニティマーク（すなわち、Ｚ＝１の点）の近くにある。これは、発電機と、インターフェイスケーブルと、同軸給電ケーブルと、標的組織と接触するアンテナとの間のインピーダンス整合が良好であることを示す。言い換えれば、マイクロ波エネルギーは、放射先端から標的組織に効率的に送達され得る。５．８ＧＨｚにおけるインピーダンスＺの値は、図５の凡例に示され、（５４．９＋ｉ２．９）オームである。図５のマーカーの隣にある完全な円（黒い円）及び空の円（中が白い円）は、各々、６ＧＨｚ及び５．６ＧＨｚの点を示す。これらの点のインピーダンスＺの値は、図５の凡例に示される。
【００６０】
ここで、図６〜図１３に示される比較例を参照して、近位同調素子及び遠位同調素子の効果をより詳細に示す。図６は第１の比較例である電気手術器具６００を示し、図７は第２の比較例である電気手術器具７００を示す。電気手術器具６００は、電気手術器具６００が近位同調素子を含まないことを除いて、電気手術器具２００と同様である。電気手術器具６００（遠位同調素子を含む）の他の全ての機構は、電気手術器具２００の場合と同じである。電気手術器具７００は、電気手術器具７００が近位同調素子または遠位同調素子を含まない（すなわち、両方の同調素子がない）ことを除いて、電気手術器具２００と同様である。電気手術器具７００の他の全ての機構は、電気手術器具２００に関するものと同じである。図２で使用した参照番号は図６及び図７で使用され、図２に関連して上記に説明した機構に対応する機構を示す。
【００６１】
図８は、図６に示される電気手術器具６００の標的組織のマイクロ波放射プロファイルのシミュレーションを示す。放射プロファイルは、有限要素分析ソフトウェアを使用して、５．８ＧＨｚのマイクロ波周波数についてシミュレートされたものである。近位同調素子がないことを除いて、計算に使用した電気手術器具６００の寸法は、図３に示される電気手術器具２００の放射プロファイルを計算するために使用したものと同じであった。図３及び図８を比較することによって分かり得るように、電気手術器具６００の放射プロファイルは、電気手術器具２００の放射プロファイルよりも球形ではない。特に、電気手術器具６００の放射プロファイルは、電気手術器具２００の放射プロファイルのテールよりも同軸給電ケーブルのより長い部分の後方に延在するテールを含む。したがって、近位同調素子は、放射プロファイルをより球形にするように作用し、同軸給電ケーブルの後方に延在するテールを減らす。係るテールは、それが同軸給電ケーブルの加熱を生じさせ得、及び／または標的ゾーンの外側にある組織の切除を生じさせ得るので、望ましくない場合がある。
【００６２】
図９は、電気手術器具６００のマイクロ波エネルギーの周波数に対するＳパラメータのシミュレーションのグラフを示す。図９のグラフは、電気手術器具２００について図４のグラフと同じ方法で計算されたものである。図９に示すように、Ｓパラメータは５．８ＧＨｚにおいて−１０．１８ｄＢの値を有する。これは、Ｓパラメータが−２５．５８ｄＢの値を有することが分かった電気手術器具２００と比較してかなり大きい反射減衰量を示す。したがって、近位同調素子は、インピーダンス整合を改善するのに役立つ。したがって、マイクロ波エネルギーは、電気手術器具６００を用いるよりも電気手術器具２００を用いた方がより効率的に標的組織に送達され得る。
【００６３】
図１０は、電気手術器具６００のインピーダンススミスチャートのシミュレーションを示す。これは、図５に示される電気手術器具２００のスミスチャートと同じ方法で計算されたものである。図１０のマーカー（ラベル「１」）は、５．８ＧＨｚにおけるＳパラメータの値を示す。これから分かり得るように、マーカーは図５と比較してユニティマークからさらに離れている。これは、電気手術器具２００と比較して、発電機と、インターフェイスケーブルと、同軸給電ケーブルと、標的組織と接触するアンテナとの間のインピーダンス整合が良好ではないことを示す。図５及び図１０を比較することによって、近位同調素子を追加する効果は、ユニティマークに近づくようにマーカーが下方に移動することが分かり得る。これは、近位同調素子がシステムに追加の静電容量を導入することを示す。図５のユニティマークにより近いマーカーのシフトは、また、同軸給電ケーブルの遠位端と近位同調素子の近位端との間の距離に関連付けられる位相シフトに関連し得る。５．８ＧＨｚにおける電気手術器具６００のインピーダンスＺの値は、図１０の凡例に示され、（４０．２＋ｉ２７．５）オームである。図１０のマーカーの隣にある完全な円（黒い円）及び空の円（中が白い円）は、各々、６ＧＨｚ及び５．６ＧＨｚの点を示す。これらの点のインピーダンスＺの値は、図１０の凡例に示される。
【００６４】
図１１は、図７に示される電気手術器具７００の標的組織のマイクロ波放射プロファイルのシミュレーションを示す。放射プロファイルは、有限要素分析ソフトウェアを使用して、５．８ＧＨｚのマイクロ波周波数についてシミュレートされたものである。近位同調素子及び遠位同調素子がないことを除いて、計算に使用した電気手術器具７００の寸法は、図３に示される電気手術器具２００の放射プロファイルを計算するために使用したものと同じであった。図３、図８、及び図１１を比較することによって分かり得るように、電気手術器具７００の放射プロファイルは、電気手術器具６００の放射プロファイルよりもさらに球形でなく、より細長い。特に、電気手術器具７００の放射プロファイルは、器具の遠位先端の周りにあまり集中せず、同軸給電ケーブルの後方に延在するより長いテールを有する。したがって、遠位同調素子は、放射プロファイルをより球形にするように作用し、同軸給電ケーブルの後方に延在するテールを減らす。
【００６５】
図１２は、電気手術器具７００のマイクロ波エネルギーの周波数に対するＳパラメータのシミュレーションのグラフを示す。図１２のグラフは、電気手術器具２００について図４のグラフと同じ方法で計算されたものである。図１２に示すように、Ｓパラメータは５．８ＧＨｚにおいて−５．６６ｄＢの値を有する。これは、Ｓパラメータが各々−２５．５８ｄＢ及び−１０．１８ｄＢの値であることが分かった電気手術器具２００及び６００と比較してかなり大きい反射減衰量を示す。したがって、遠位同調素子は、インピーダンス整合を改善するのに役立つ。
【００６６】
図１３は、電気手術器具７００のインピーダンススミスチャートのシミュレーションを示す。これは、図５に示される電気手術器具２００のスミスチャートと同じ方法で計算されたものである。図１３のマーカー（ラベル「１」）は、５．８ＧＨｚにおけるＳパラメータの値を示す。これから分かり得るように、マーカーは図５と比較してユニティマークからさらに離れている。これは、電気手術器具２００と比較して、発電機と、インターフェイスケーブルと、同軸給電ケーブルと、標的組織と接触するアンテナとの間のインピーダンス整合が良好ではないことを示す。図１３のマーカーは、また、図１０と比較してユニティマークからさらに離れており、インピーダンス整合が良好ではないことを示す。５．８ＧＨｚにおける電気手術器具７００のインピーダンスＺの値は、図１３の凡例に示され、（２０．５−ｉ２５．７）オームである。図１３のマーカーの隣にある完全な円（黒い円）及び空の円（中が白い円）は、各々、６ＧＨｚ及び５．６ＧＨｚの点を示す。これらの点のインピーダンスＺの値は、図１３の凡例に示される。
【００６７】
要約すると、比較例は、放射先端内の近位同調素子及び遠位同調素子の両方の存在が、放射プロファイルをより球形にし、同軸給電ケーブルの後方に延在するテールを減らすことによって、放射先端の放射プロファイルを強化するのに役立つことを示す。また、比較例は、近位同調素子及び遠位同調素子がインピーダンス整合を改善するのに役立つことを示しており、これは、マイクロ波エネルギーを標的組織に送達できる効率を改善し得る。
【００６８】
複数の本発明者は、電気手術器具の外径が増加するにつれて、同軸給電ケーブルの後方に延在する放射プロファイルのテールが増加することを発見している。これは、本発明の実施形態による電気手術器具の標的組織のマイクロ波放射プロファイルのシミュレーションを示す図１４に示されている。図１４の電気手術器具は、それが２．６ｍｍの外径を有することを除いて、上記に説明した電気手術器具２００と同様である（一方、電気手術器具２００は１．８５ｍｍの外径を有する）。放射プロファイルは、有限要素解析ソフトウェアを使用して、５．８ＧＨｚのマイクロ波周波数についてシミュレートされたものである。図１４の数字２１５によって示される破線は、同軸給電ケーブルと放射先端との間の境界面の位置を示す。図１４を電気手術器具２００の放射プロファイルと比較することによって分かり得るように、同軸給電ケーブルの後方に延在するテールは、図１４の電気手術器具（すなわち、より大きな外径を有する電気手術器具）の方が大きい。
【００６９】
複数の本発明者は、同軸給電ケーブルの遠位端にフィールド形成素子を含めることによって、放射プロファイルのテールを抑制し得ることを発見している。図１５は、本発明の実施形態である電気手術器具９００の断面側面図を示す。電気手術器具９００は、それがフィールド形成素子９０２を含み、その外径が２．６ｍｍであることを除いて、上記に説明した電気手術器具２００と同様である。図２で使用した参照番号は図１５で使用され、図２に関連して上記に説明した機構に対応する機構を示す。
【００７０】
フィールド形成素子９０２は、外部導体２０６の外面の周りに配置される導体材料の環状スリーブである。フィールド形成素子９０２は、同軸給電ケーブル２０２の遠位端に位置し、同軸給電ケーブル２０２の長さに沿って境界面２１５から延在する。フィールド形成素子９０２の長さは、同軸給電ケーブル２０２によって伝えられるマイクロ波エネルギーの４分の１波長に一致する。マイクロ波エネルギーが５．８ＧＨｚである場合、フィールド形成素子９０２の長さは約９ｍｍであり得る。フィールド形成素子９０２の内面は、外部導体２０６の外面と接触し、これにより、フィールド形成素子９０２は、その長さに沿って外部導体２０６に電気的に接続される。フィールド形成素子９０２と外部導体２０６との間の電気的接続は、例えば導電性エポキシを使用して、またはそれらをはんだ付けもしくは溶接することによって、フィールド形成素子９０２を外部導体２０６に固定することによって確保され得る。いくつかの実施形態（図示せず）では、フィールド形成素子９０２は、外部導体２０６と一体的に形成され得る。フィールド形成素子９０２は、同軸給電ケーブル２０２の遠位領域内で外部導体２０６の有効厚さを増加させるように作用する。
【００７１】
図１６は、図１５に示される電気手術器具９００の標的組織のマイクロ波放射プロファイルのシミュレーションを示す。放射プロファイルは、有限要素解析ソフトウェアを使用して、５．８ＧＨｚのマイクロ波周波数についてシミュレートされたものである。図１６及び図１４を比較することによって分かり得るように、図１６の放射プロファイルは、同軸給電ケーブルの後方に延在するより小さなテールを有する。図１６の放射プロファイルは、また、より球形に見え、放射先端の周りにより集中している。図１４の電気手術器具と電気手術器具９００との間の唯一の違いは、電気手術器具９００内のフィールド形成素子９０２の存在である。したがって、フィールド形成素子９０２は、放射プロファイルのテールを減らし、マイクロ波エネルギーの放出を放射先端の周りに集中させるのに役立つ。
【図１】
2021531075.tif 000004
【図２】
2021531075.tif 000005
【図３】
2021531075.tif 000006
【図４】
2021531075.tif 000007
【図５】
2021531075.tif 000008
【図６】
2021531075.tif 000009
【図７】
2021531075.tif 000010
【図８】
2021531075.tif 000011
【図９】
2021531075.tif 000012
【図１０】
2021531075.tif 000013
【図１１】
2021531075.tif 000014
【図１２】
2021531075.tif 000015
【図１３】
2021531075.tif 000016
【図１４】
2021531075.tif 000017
【図１５】
2021531075.tif 000018
【図１６】
2021531075.tif 000019
【手続補正書】
【提出日】令和2年5月6日(2020.5.6)
【手続補正１】
【補正対象書類名】特許請求の範囲
【補正対象項目名】全文
【補正方法】変更
【補正の内容】
【特許請求の範囲】
【請求項１】
電気手術器具であって、
マイクロ波エネルギーを伝えるための同軸給電ケーブルであって、前記同軸給電ケーブルは、内側導体、外側導体、ならびに前記内側導体及び前記外側導体を分離する誘電材料を有する、前記同軸給電ケーブルと、
前記マイクロ波エネルギーを受けるために前記同軸給電ケーブルの遠位端に配置される放射先端であって、前記放射先端は、
前記内側導体に電気的に接続され、縦方向に延在してマイクロ波放射器を形成する、細長導体と、
前記放射先端の近位領域内で前記細長導体に電気的に接続される近位同調素子と、
前記放射先端の遠位領域内で前記細長導体に電気的に接続される遠位同調素子と、
前記細長導体、前記近位同調素子、及び前記遠位同調素子の周りに配置される誘電体と、を備える、前記放射先端と、を備え、
前記近位同調素子及び前記遠位同調素子は前記縦方向に離間し、それによって、前記マイクロ波放射器によって放出されるマイクロ波場は前記誘電体の周りに形成され、
前記縦方向の前記遠位同調素子の長さは、前記縦方向の前記近位同調素子の長さよりも大きい、前記電気手術器具。
【請求項２】
前記近位同調素子及び前記遠位同調素子は前記縦方向に対して対称である、請求項１に記載の電気手術器具。
【請求項３】
前記近位同調素子及び前記遠位同調素子は円筒形であり、前記細長導体の縦軸と同一直線上にある中心軸を有する、請求項１に記載の電気手術器具。
【請求項４】
前記近位同調素子は、前記縦方向に前記同軸給電ケーブルの前記遠位端から離間している、いずれかの先行請求項に記載の電気手術器具。
【請求項５】
前記近位同調素子及び前記遠位同調素子は、それぞれ、前記細長導体が延在するチャネルを含む、いずれかの先行請求項に記載の電気手術器具。
【請求項６】
前記遠位同調素子は前記細長導体の遠位端に位置する、いずれかの先行請求項に記載の電気手術器具。
【請求項７】
前記細長導体は、前記外側導体の遠位端を越えて延在する前記内側導体の遠位部である、いずれかの先行請求項に記載の電気手術器具。
【請求項８】
前記誘電体は、前記近位同調素子と前記遠位同調素子との間に誘電スペーサを備える、いずれかの先行請求項に記載の電気手術器具。
【請求項９】
前記誘電体は、前記近位同調素子及び前記遠位同調素子の外面を囲む誘電体シースを備える、いずれかの先行請求項に記載の電気手術器具。
【請求項１０】
前記誘電体シースの外面は、前記同軸給電ケーブルと前記放射先端との間の境界面で前記同軸給電ケーブルの外面と同一平面である、請求項９に記載の電気手術器具。
【請求項１１】
前記近位同調素子と前記同軸給電ケーブルの前記遠位端との間に搭載される誘電体素子を含む、請求項４に記載の電気手術器具。
【請求項１２】
前記誘電体素子は、前記外側導体の遠位端を越えて突出する前記同軸給電ケーブルの前記誘電材料の遠位部を含む、請求項１１に記載の電気手術器具。
【請求項１３】
前記放射先端は、さらに、前記細長導体の遠位端に搭載される遠位先端を含み、前記遠位先端は誘電材料から作られている、いずれかの先行請求項に記載の電気手術器具。
【請求項１４】
前記遠位先端は尖っている、請求項１３に記載の電気手術器具。
【請求項１５】
前記同軸給電ケーブルの遠位端に配置される導電性フィールド形成素子をさらに含み、前記フィールド形成素子は前記外側導体に電気的に接続される、いずれかの先行請求項に記載の電気手術器具。
【請求項１６】
前記フィールド形成素子は、前記外側導体の近位部と比較して、大きい厚さを有する前記外側導体の遠位部によって形成される、請求項１５に記載の電気手術器具。
【請求項１７】
前記フィールド形成素子は、前記マイクロ波エネルギーの４分の１波長に対応する前記縦方向の長さを有する、請求項１５または１６に記載の電気手術器具。
【請求項１８】
生体組織を治療するための電気手術装置であって、
マイクロ波エネルギーを供給するように構成される電気手術用発電機と、
前記電気手術用発電機から前記マイクロ波エネルギーを受けるために接続される、いずれかの先行請求項に記載の電気手術器具と、を備える、前記電気手術装置。
【請求項１９】
器具チャネルを有する可撓性挿入コードを含む外科用スコーピングデバイスをさらに備え、前記電気手術器具は前記器具チャネル内に適合するように寸法決定される、請求項１８に記載の電気手術装置。
【国際調査報告】
2021531075.tif 000020
2021531075.tif 000021
2021531075.tif 000022